(57)【要約】【課題】サーミスタ検出信号の短絡による誤検出を防止した給湯機のセンサ接続装置を提供する。【解決手段】給湯温度を検出する給湯サーミスタ１１と、給水温度を検出する給水サーミスタ１８との信号線５０、５６を制御部４５に接続し、給湯温度を制御するようにしたもので、前記給湯サーミスタ１１と給水サーミスタ１８とは、上下２列のコネクタピンを有したコネクタ４８に互いに併設して取り付けられ、給湯サーミスタ１１の信号線５０が接続したコネクタピン４９と給水サーミスタ１８の信号線５６が接続したコネクタピン５５との間には、お互いのグランド５２、５４が接続したコネクタピン５１、５３を位置させたものである。【選択図】図２
2016099058.tif 000002
【特許請求の範囲】
【請求項１】
給湯温度を検出する給湯サーミスタと、給水温度を検出する給水サーミスタとの信号線を制御部に接続し、給湯温度を制御するようにしたものに於いて、前記給湯サーミスタと給水サーミスタとは、上下２列のコネクタピンを有したコネクタに互いに併設して取り付けられ、給湯サーミスタの信号線が接続したコネクタピンと給水サーミスタの信号線が接続したコネクタピンとの間には、お互いのグランドが接続したコネクタピンを位置させた事を特徴とする給湯機のセンサ接続装置。
【発明の詳細な説明】
【技術分野】
【０００１】
この発明は、給湯機の特に温度センサの信号線の制御部であるマイコンとの接続の仕方に関するものである。
【背景技術】
【０００２】
従来より、この種のものに於いては、コネクタと制御部であるマイコとの間に、温度センサの短絡を電気的に検出する特別な回路を追加するものであった。（特許文献１参照）
【先行技術文献】
【特許文献】
【０００３】
【特許文献１】特開２０１４−１６７４１８号公報
【発明の概要】
【発明が解決しようとする課題】
【０００４】
ところで、この従来のものでは、特別な回路の追加が必要で、回路構成も複雑になると共に、コストが高くなると言う不具合を有するものであり、又従来より２列のコネクタピンを備えたものでは、図３に示す従来例の通り、制御部１００であるマイコンに、２列のコネクタピンを備えたコネクタ１０１を介して、該コネクタ１０１の左端下段のコネクタピン１０２を介して、給湯サーミスタ１０３の信号線１０４がマイコン１００の入力端子に接続されており、又左端上段のコネクタピン１０５には給湯サーミスタ１０３のグランド側１０６が接続されており、このグランド１０６の隣にはコネクタ１０１の左から２番目の下段のコネクタピン１０７を介して、給水サーミスタ１０８の信号線１０９がマイコン１００の入力端子に接続されており、又左から２番目の上段のコネクタピン１１０には給水サーミスタ１０８のグランド側１１１が接続されているものである。
【０００５】
従いまして、２列のコネクタピンを使用したことで、給湯サーミスタ１０３と給水サーミスタ１０８との間隔が狭くなっており、ここが小動物や異物１１２の侵入等で短絡した場合、又給湯サーミスタ１０３と給水サーミスタ１０８とが短絡すると、給湯温度が４０℃と給水温度１０℃では、互いに２５℃と誤検出するので、給湯側が実際の温度より低く誤検出することで、火傷の危険があると言う課題を有するものであった。
【課題を解決するための手段】
【０００６】
この発明は上記課題を解決するため、給湯温度を検出する給湯サーミスタと、給水温度を検出する給水サーミスタとの信号線を制御部に接続し、給湯温度を制御するようにしたものに於いて、前記給湯サーミスタと給水サーミスタとは、上下２列のコネクタピンを有したコネクタに互いに併設して取り付けられ、給湯サーミスタの信号線が接続したコネクタピンと給水サーミスタの信号線が接続したコネクタピンとの間には、お互いのグランドが接続したコネクタピンを位置させたものである。
【発明の効果】
【０００７】
以上のようにこの発明によれば、２列のコネクタのコネクタピン間が小動物や異物の侵入で短絡したとしても、給湯サーミスタの信号線に隣接しているのは、給湯サーミスタのダランド側と給水サーミスタのダランド側なので、給湯温度や給水温度の誤検出にはならず、エラー検出でエラー処理されて給湯使用が停止されるので、意図しない高温の給湯による火傷には至らず、安心して使用出来るものであり、又構成も新たな回路を追加することなく、給水サーミスタのグランド側の接続位置を、給湯サーミスタ側に変更しただけの安価で容易な構成としたので、極めて使用勝手が良いものである。
【図面の簡単な説明】
【０００８】
【図１】この発明の一実施形態のヒートポンプ貯湯式給湯機の概略構成図。
【図２】同要部の電気配線図。
【図３】従来例を示す要部の電気配線図。
【発明を実施するための形態】
【０００９】
この発明の一実施形態のヒートポンプ貯湯式給湯機１を図面に基づいて説明する。
２は湯水を貯湯するステンレス製の貯湯タンク３を有した貯湯タンクユニット、４は貯湯タンク３内の湯水を主に深夜時間帯に沸き上げるヒートポンプ式加熱手段としてのヒートポンプユニット、５は給湯設定温度を変更する等の操作を行うためのリモートコントローラである。
【００１０】
貯湯タンクユニット２には、貯湯タンク３底部に市水を給水する給水管６と、貯湯タンク３上部から出湯する出湯管７と、給水管６から分岐された給水バイパス管８と、出湯管７からの湯水と給水バイパス管８からの水とを給湯設定温度になるように混合する給湯混合弁９と、給湯混合弁９で混合された湯が流通する給湯管１０と、給湯管１０途中に設けられ給湯温度を検出する給湯サーミスタ１１と、給湯管１０途中に設けられ給湯流量を検出する給湯流量センサ１２と、貯湯タンク２の側面上下に複数設けられてそれぞれ貯湯温度を検出する貯湯温度センサ１３と、給水管６に設けられ市水の給水圧を一定の圧力に減圧する減圧弁１４と、貯湯タンク２内の過圧を逃がす過圧逃がし弁１５と、ヒートポンプユニット４で加熱するため貯湯タンク２底部から取り出した湯水を流通させる加熱往き管１６と、ヒートポンプユニット４で加熱された湯水を貯湯タンク２上部へ戻すために流通させる加熱戻り管１７と、給水管６途中に設けられ給水温度を検出する給水サーミスタ１８とが設けられている。
【００１１】
また、貯湯タンクユニット２には、貯湯タンク２内の湯の熱で浴槽１９からの浴水を加熱するための風呂熱交換器２０と、浴槽１９と風呂熱交換器２０とを浴水が循環可能に接続する風呂循環回路２１と、風呂循環回路２１途中に設けられ浴水を循環させる風呂循環ポンプ２２と、風呂循環回路２１を風呂熱交換器２０をバイパスして接続する熱交バイパス管２３と、浴槽１９からの浴水を風呂熱交換器２０側へ流すか熱交バイパス管２３側へ流すかを切り替える三方弁２４と、浴槽１９から風呂熱交換器２０へ流れる浴水の温度を検出する風呂サーミスタ２５と、風呂循環回路２１の浴水の循環の有無を検知する流水スイッチ２６と、浴槽１９内の水位を検出するための水位センサ２７とが設けられている。
【００１２】
更に貯湯タンクユニット２には、給湯管１０から分岐されて風呂循環回路２１途中に接続される湯はり管２８と、湯はり管２８途中に設けられ湯はり流量を検出する湯はり流量センサ２９と、湯はり管２８途中に設けられ湯はり温度を検出する湯はり温度センサ３０と、湯はり管２８途中に設けられた電磁弁よりなる湯はり開閉弁３１とが設けられている。
【００１３】
ヒートポンプユニット４には、冷媒を圧縮する圧縮機３２と、圧縮された高温冷媒と貯湯タンク３からの湯水とを熱交換する冷媒水熱交換器３３と、冷媒水熱交換器３３で放熱された冷媒を減圧する膨張弁３４と、低温低圧の冷媒を蒸発する蒸発器３５と、圧縮機３２、冷媒水熱交換器３３、膨張弁３４、蒸発器３５を環状に接続した冷凍サイクル配管３６と、蒸発器３５に熱源となる外気を送風する送風機３７と、冷媒水熱交換器３３の水側に貯湯タンク３からの湯水を供給する加熱循環ポンプ３８と、加熱往き管１６から冷媒水熱交換器３３に流入する湯水の温度を検出する入水温度センサ３９と、冷媒水熱交換器３３から加熱戻り管１７へ流出する湯水の温度を検出する沸き上げ温度センサ４０とが設けられている。
【００１４】
リモートコントローラ５には、給湯機に関する各種の情報（給湯設定温度、風呂設定温度、風呂設定湯量、残湯量、給湯機の作動状態等）を表示する表示部４１と、給湯設定温度および風呂設定温度あるいは風呂設定湯量を設定操作するための設定スイッチ４２と、浴槽１９へ風呂設定湯量の湯はりを指示する湯はりスイッチ４３等の複数の操作スイッチ４４とが設けられている。
【００１５】
４５は貯湯タンクユニット２内に設けられ、給湯サーミスタ１１、給湯流量センサ１２、貯湯温度センサ１３、風呂サーミスタ２５、流水スイッチ２６、水位センサ２７、湯はり流量センサ２９、湯はり温度センサ３０の検出値が入力され、給湯混合弁９、風呂循環ポンプ２２、三方弁２４、湯はり開閉弁３１の作動を制御すると共に、ヒートポンプユニット４およびリモートコントローラ５と必要な情報を送受信可能に接続されたマイコンからなる制御部である。ここで、制御部４５は、ＭＰＵ等の論理回路を有してメモリを参照しつつ予め記憶されているプログラムに従って作動を制御するものである。
【００１６】
４６はヒートポンプユニット４内に設けられ、入水温度センサ３９、沸き上げ温度センサ４０の検出値が入力され、圧縮機３２、膨張弁３４、送風機３７、加熱循環ポンプ３８の作動を制御すると共に、制御部４５と必要な情報を送受信可能に接続された加熱制御手段である。ここで、加熱制御手段４６は、ＭＰＵ等の論理回路を有してメモリを参照しつつ予め記憶されているプログラムに従って作動を制御するものである。
【００１７】
４７はリモートコントローラ５内に設けられ、操作スイッチ４４の操作信号や制御部４５からの信号を受け、表示部４１に予め定められた必要な表示を行わせると共に、制御部４５に操作信号に基づく信号を送信するリモコン制御手段である。ここで、リモコン制御手段４７は、ＭＰＵ等の論理回路を有してメモリを参照しつつ予め記憶されているプログラムに従って作動を制御するものである。
【００１８】
ここで、制御部４５と加熱制御手段４６とリモコン制御手段４７は互いに必要な情報を授受して、互いに連携してヒートポンプ貯湯式給湯機の作動を制御する制御手段として振る舞うものである。
【００１９】
図２はこの発明の要部の電気配線図で、制御部４５であるマイコンに、２列のコネクタピンを備えたコネクタ４８を介して、該コネクタ４８の左端下段のコネクタピン４９を介して、給湯サーミスタ１１の信号線５０がマイコン４５の入力端子に接続されており、又左端上段のコネクタピン５１には給湯サーミスタ１１のグランド側５２が接続されており、このグランド５２の隣にはコネクタ４８の左から２番目の下段のコネクタピン５３を介して、給水サーミスタ１８のグランド側５４が接続され、そしてその隣で左から２番目の上段のコネクタピン５５には、給水サーミスタ１８の信号線５６が接続してそのままマイコン４５の入力端子に接続されており、左から３番目の下段のコネクタピン５７を介しては、風呂サーミスタ２５の信号線５８がマイコン４５の入力端子に接続され、左から３番目の上段のコネクタピン５９には風呂サーミスタ２５のグランド側６０が接続されているものである。
【００２０】
従いまして、２列のコネクタ４８のコネクタピン間が小動物や異物６１の侵入で短絡したとしても、給湯サーミスタ１１の信号線５０に隣接しているのは、給湯サーミスタ１１のダランド側５２と給水サーミスタ１８のダランド側５４なので、給湯温度や給水温度の誤検出にはならず、エラー検出でエラー処理されて給湯使用が停止されるので、意図しない高温の給湯による火傷には至らず、安心して使用出来るものであり、又構成も新たな回路を追加することなく、給水サーミスタ１８のグランド側５４の接続位置を、給湯サーミスタ１１側に変更しただけの安価で容易な構成としたので、極めて使用勝手が良いものである。
【符号の説明】
【００２１】
１  ヒートポンプ貯湯式給湯機
２  貯湯タンクユニット
３  貯湯タンク
４  ヒートポンプユニット（ヒートポンプ式加熱手段）
１１  給湯サーミスタ
１８  給水サーミスタ
４５  制御部（マイコン）
４８  コネクタ
４９、５１、５３、５５、５７，５９  コネクタピン
５０、５６，５８  信号線
５２、５４、６０  グランド
６１  異物
【図１】
2016099058.tif 000003
【図２】
2016099058.tif 000004
【図３】
2016099058.tif 000005